(57)【要約】      （修正有）【課題】腰骨に接する部分を強く緊締することを避けて補整布を縫着したガードルとすることによって、腰骨に補整布が当たる違和感をなくし、着用感に優れた骨盤補整ガードルを提供する【解決手段】ガードル前身頃地中央部の腹部押さえ布４に、腹部押さえ布より緊締性の強い帯状布を腹部押さえ布の両側縁から前身頃地斜め上方に向かって後身頃地中央に達する上部骨盤押さえ布１０を縫着し、上部骨盤押さえ布１０は、前身頃と後身頃が接合する脇線７部分において、骨盤上端が接する部分に隙間部分１１を形成し、前記隙間部分に緊締力の少ない布地を縫合した。【選択図】図１
0003164052.tif 000002
【実用新案登録請求の範囲】
【請求項１】
前身頃地中央部の腹部押さえ布に、腹部押さえ布より緊締性の強い帯状布を腹部押さえ布の両側縁に前身頃地斜め上方に向かって後身頃地中央に達する上部骨盤押さえ布を設け、上部骨盤押さえ布は、前身頃と後身頃が接合する脇線部分において、骨盤上端が接する部分に隙間部分を形成し、前記隙間部分に緊締力の少ない布地を縫合してなる骨盤矯正ガードル。
【請求項２】
ガードル後身頃において、ヒップライン下方位置から上部骨盤押さえ布にいたる臀部周縁を囲む、身頃地より緊締性の強い帯状のヒップ支持布を縫着してなる請求項１に記載の骨盤矯正ガードル。
【請求項３】
上部骨盤押さえ布、ヒップ支持布を除くガードル前身頃、及びガードル後身頃およびガードル脇線部分に設けられた隙間部分が、緊締性の少ない伸縮性を有する編地によって形成されていることを特徴とする請求項１または請求項２に記載の骨盤矯正ガードル。 
【考案の詳細な説明】
【技術分野】
【０００１】
本考案は、身体側面の腰骨部分に、緊締力の強い補整布が接することがないようにした骨盤矯正ガードルに係わる。
【背景技術】
【０００２】
骨盤の歪みは、身体の痛みの原因となり、血液循環を阻害したり、神経の伝達異状を引き起こしたりする原因となることが多い。骨盤に歪みが生じることを予防し、更に外観上体型を美しく保つために、腹部を引き締め、臀部を上方に引き上げて腰周りを補整するためのガードルとして、種々の工夫のなされたものが提案されている。
【０００３】
例えば、登録実用新案第３１１８５０５号では、上下にずり落ち防止用の締付部と襷状に囲むＸ字型部とその他の部分の編地部を有する骨盤矯正用ガードルにおいて、襷状に囲むＸ字型部はカットボス方法によって補強糸を編成したことを特徴とする骨盤矯正用ガードルが開示されている。（特許文献１）。また、登録実用新案第３１０２７４２号では、身生地と同程度もしくは身生地より緊締力が強い帯状布を、腹部押さえ布の両側縁辺から斜め上方に向かって後部中央縫着部に達する上部骨盤押さえ布を縫着すると共に、身生地より緊締力が強い帯状布を、前記腹部押さえ布の略中央部を横切り、斜め下方に向かって後部中央縫着部に達するヒップ支持布を縫着したことを特徴とする骨盤矯正サポートガードルが開示されている（特許文献２）。更に、特開２００８−２２３１５４号では、身生地の裏側に、骨盤を構成する各骨に対応する位置に、身生地より強度が高い当て布が縫着又は接着され、当て布は、強度の高い部分と低い部分とを有することを特徴とする骨盤サポート用下衣が開示されている（特許文献３）。
【０００４】
しかしながら、登録実用新案第３１１８５０５号では、左右の腰骨の位置を矯正するための上部骨盤と、股関節の位置を矯正するための下部骨盤との両方を有効に緊締するＸ字状の襷掛け等によって上部と下部の両方を圧迫するものであるが、腰骨に緊締部が当たり、着用感が損なわれる可能性がある。
登録実用新案第３１０２７４２号の骨盤矯正用ガードルにおいては、腰骨部分で上部骨盤押さえ布と、ヒップ支持布が重なり、腰骨に当たるため着心地が悪くなる。
特開２００８−２２３１５４号では、上部当て布は、締め付け力の高い上部高強度部と締め付け力の低い上部低強度部分とを有し、身頃地の裏側に縫着又は接着されているが、各骨を支える筋肉がある位置を適度に締付けることによって筋肉をサポートし、ひいてはその筋肉を支える骨をサポートすることを目的としており、腰骨に補整布が当たる違和感を抑えるものではない。
【先行技術文献】
【特許文献】
【０００５】
【特許文献１】実用登録第３１１８５０５号公報
【特許文献２】実用登録第３１０２７４２号公報
【特許文献３】特開２００８−２２３１５４号公報
【考案の概要】
【考案が解決しようとする課題】
【０００６】
本考案は、腰骨に接する部分を避けて補整布を縫着したガードルとすることによって、腰骨に補整布が当たる違和感をなくし、着用感に優れた骨盤補整ガードルを得ることを目的とする。
【課題を解決するための手段】
【０００７】
本考案のガードルは、ガードル前身頃地中央部の腹部押さえ布に、腹部押さえ布より緊締性の強い帯状布を腹部押さえ布より前身頃地斜め上方に向かって後身頃地中央に達する上部骨盤押さえ布を縫着し、上部骨盤押さえ布は、前身頃と後身頃が接合する脇線部分において、骨盤上端が接する部分において上下に分かれ、この部分に隙間を形成し、この隙間部分に緊締力の少ない布地を縫合した。
更に、ガードル後身頃において、ヒップライン下方位置から上部骨盤押さえ布にいたる臀部周縁を囲む、身頃地より緊締性の強い帯状のヒップ支持布を縫着した。
腹部押さえ布、上部骨盤押さえ布、帯状のヒップ支持布を除くガードル前身頃、及びガードル後身頃およびガードル脇線部分に設けられた隙間部分は、緊締性の少ない伸縮性を有するネット状地によって形成し、良好な着用感を得る。
【考案の効果】
【０００８】
本考案による骨盤矯正ガードルは、身体側部に位置する骨盤上部に当接する腰骨部分には強い緊締力を有する補整布を縫着しないことにより、腰骨に補整布が当たる違和感と窮屈な感覚を生じることがないようにし、臀部を支える支持布を儲け、その他の部分に通気性と伸縮性を有する素材を用い、着用感を向上させた骨盤矯正ガードルである。
【図面の簡単な説明】
【０００９】
【図１】本考案の骨盤矯正ガードルの前身頃を示す平面図である。
【図２】本考案の骨盤矯正ガードルの後身頃を示す平面図である。
【図３】本考案の骨盤矯正ガードル脇線部分の構成を示す側面図である。
【考案を実施するための形態】
【００１０】
本考案の骨盤矯正ガードルは、腰骨上部が位置する部分を除いた強い緊締力を有する補整布を縫着することによって、骨盤を支えて腰部を矯正する一方、腰骨に補整布が当たって生じる違和感をなくし、着用感を向上させるように考案されたガードルである。
【００１１】
図１に示す骨盤矯正ガードル本体１の前身頃２には、ウエストベルト３より股下にいたる三角形状腹部押さえ布４が設けられる。腹部押さえ布４は、前身頃地と同一の伸縮性を有する伸び易い緊締性の少ない布地又は編地を使用し、また、適宜腹部を覆う如く裏打ち布５ａを重ねて縫着して緊締力を持たせても良い。腹部押さえ布４は、そのまま連続してクロッチ部５にいたるようにしているが、クロッチ部５内側にはクロッチ布５ｂを重ねている。ウエストベルト３の下方には、腹部押さえ布４の両側端６，６より脇線７，７を経て斜め上方に向かって後見頃８の中央線９に達する上部骨盤押さえ布１０を縫着する。上部骨盤押さえ布１０は、身生地より緊締性の強い帯状布によって形成される。尚、上部骨盤押さえ布１０は、腹部押さえ布４の両側端６，６を越えて、腹部押さえ布４の表または裏側において連続するように形成することも出来る。
【００１２】
上部骨盤押さえ布１０は、腰骨当接部分の強い締め付けを避けるため、脇線７，７において隙間１１，１１が形成される。隙間１１、１１には、身頃地、ネット状地、薄手伸縮性布等、圧迫感を与えない素材が縫着される。
【００１３】
後身頃８には、上部骨盤押さえ布１０の下方脇線７，７より緊締力が強い帯状のヒップ支持布１２，１２をヒップライン下方から後見頃８の中央線９を中心にして縫着する。ヒップ支持布１２，１２は、臀部下方を上方へ押し上げるように作用し、姿勢を正しく保つ作用をする。
【００１４】
本考案ガードルの特徴は、上記のようにガードルの腰骨上部が位置する部分を除くようにして強い緊締性を有する上部骨盤押さえ布１０とヒップ支持布１２とを縫着したことにある。即ち、上部骨盤押さえ布１０には、腰骨上部位置に隙間１１を設け、緊締性の弱い素材を縫着している。本考案のガードル本体を構成する前身頃、後身頃の上記部分以外の部分の構成は、常法により任意に構成することが出来る。
【００１５】
本考案ガードルを構成する布地について説明すると、例えばウエストベルト３と、上部骨盤押さえ布１０の間、腹部押さえ布４、隙間１１，１１、前身頃及び後身頃の左右脚部１３，１３、臀部上方の骨盤押さえ布１２，１２に囲まれた部分には、緊締性の弱い伸縮性に富み、通気性を有する編地もしくは布地（Ａ）を使用し、上部骨盤押さえ布１０及びヒップ支持布１２，１２には、編地若しくは布地（Ａ）より緊締性の強い編地もしくは布地（Ｂ）を使用する。
【産業上の利用可能性】
【００１６】
本考案は、腰骨上部に違和感を生じさせたり、窮屈な思いをさせることなく着用可能なガードルであるので、広い年齢層の女性が使用でき、骨盤の歪みから生じる種々の痛みを予防し、また、和らげる効果を有する。
【符号の説明】
【００１７】
１    ガードル本体
２    前身頃
３    ウエストベルト
４    腹部押さえ布
５    クロッチ部
５ａ  裏打ち布
６    腹部押さえ布の側端
７    脇線
８    後身頃
９    後身頃中央線
１０  上部骨盤押さえ布
１１  隙間部分
１２  ヒップ支持布
１３  左右脚部
（Ａ）緊締性が（Ｂ）より低い編地もしくは布地
（Ｂ）緊締性が布地（Ａ）より高い編地もしくは布地 
【図１】
0003164052.tif 000003
【図２】
0003164052.tif 000004
【図３】
0003164052.tif 000005